(57)【要約】【課題】より均一な照明をもたらす発光パネルを、コストを増大させることなく提供することである。【解決手段】発光パネルがベースパネルを備えており、このベースパネル上に複数の発光素子、好ましくは発光ダイオードが取り付けられている。各発光素子は、少なくとも約６０°、好ましくは約１００°の放射角度にわたり広がる実質的に均一な照明強度の領域を有する照明パターンを生成する。発光素子によって生成された光を受容して調節するために、光を拡散するための光拡散体と、拡散体によって拡散された光の輝度を増大させるための輝度上昇体がベースパネルに隣接して配置されている。【選択図】図１
2006294618.tif 000002
【特許請求の範囲】
【請求項１】
ベースパネル（１２）と、
前記ベースパネル（１２）に取り付けられている複数の発光素子（１４）であって、該複数の発光素子のそれぞれが、少なくとも約６０°の放射角度にわたり広がる実質的に均一な強度の領域（２８）を有する照明パターン（４６）を生成する、複数の発光素子と、
前記ベースパネル（１２）に隣接して配置されている１つ以上の光調節器（１６、１８）であって、前記複数の発光素子（１４）によって生成された光を受容して調節する、光調節器とを備えている発光パネル（１０）。
【請求項２】
前記複数の発光素子（１４）のそれぞれが、発光ダイオード（２６）を含む、請求項１に記載の発光パネル（１０）。
【請求項３】
前記実質的に均一な強度の領域（２８）が、少なくとも約１００°の放射角度にわたり広がる、請求項１に記載の発光パネル（１０）。
【請求項４】
前記発光ダイオード（２６）のそれぞれが、
反射カップ（３２）と、
前記反射カップ（３２）内に取り付けられている発光接合部（３４）と、
前記反射カップ（３２）および前記発光接合部（３４）上に配置されているレンズ（３６）とを備えている、請求項２に記載の発光パネル（１０）。
【請求項５】
前記レンズ（３６）が、実質的に平坦な光出力面（６２）を有している、請求項４に記載の発光パネル（１０）。
【請求項６】
前記レンズ（１３６）が、凸部分（１６４）および凹部分（１６６）を備えている光出力面（１６２）を有している、請求項４に記載の発光パネル（１０）。
【請求項７】
前記実質的に均一な強度の領域（２８）が、強度の最低値および強度の最高値を有しており、前記強度の最低値が、前記強度の最高値の約５０％以上である、請求項１に記載の発光パネル（１０）。
【請求項８】
前記ベースパネル（１２）上に、反射面（５０）をさらに備えている、請求項１に記載の発光パネル（１０）。
【請求項９】
前記光調節器（１６、１８）が、
前記ベースパネル（１２）に隣接して配置されている拡散体（１６）であって、前記複数の発光素子（１４）によって生成された光を受容して拡散する、拡散体と、
前記拡散体（１６）に隣接して配置された輝度上昇体（１８）であって、前記拡散体（１６）から拡散された光を集めて、該輝度上昇体（１８）の前面（５２）から出ていくように光を配向する、輝度上昇体とを含む、請求項１に記載の発光パネル（１０）。
【請求項１０】
前記輝度上昇体（１８）が、複数のプリズム（５５）を画定するシート状の材料を含む、請求項９に記載の発光パネル（１０）。
【発明の詳細な説明】
【技術分野】
【０００１】
本発明は発光パネル、特に発光ダイオードを利用した発光パネルに関する。
【背景技術】
【０００２】
発光パネルは、様々な目的のために使用されるが、一般には、ディスプレイシステム（例えば液晶ディスプレイ）用のバックライトとして使用される。一般的にバックライティングディスプレイのために使用される発光パネルは、冷陰極蛍光ランプ（ＣＣＦＬ）およびエレクトロルミネセントパネルを含む。これらの種類の発光パネルは、パネルの全領域にわたって実質的に均一な照明を提供し、これにより、ディスプレイのための一様な照明を提供するという点で有利である。しかし、残念なことに、ＣＣＦＬおよびエレクトロルミネセントパネルには、演色が悪いという欠点がある。さらに、水銀のような有害物質の使用も伴う。
【０００３】
ＣＣＦＬおよびエレクトロルミネセントパネルの欠点を克服するための努力の一環として、発光ダイオード（ＬＥＤ）を光源として利用する発光パネルが開発された。ＬＥＤ発光パネルは水銀を含まない上に、通常、ＣＣＦＬおよびエレクトロルミネセントパネルよりも良好な演色を提供する。
【０００４】
ＬＥＤ発光パネルの１種に、エッジライトパネルがある。エッジライトパネルでは、複数のＬＥＤが、導光板の１つ以上の端部に隣接して配置されている。ＬＥＤからの光は、導光板の端部に入射して導光板内で方向変換し、導光板の前面から出てくるようになっている。パネルの背面には反射板を設けることができ、これにより、本来であればパネルの背面から出ていってしまう光が、パネルの前面に向かって反射する。
【０００５】
しかし、エッジライト発光パネルには欠点がある。例えば、ＬＥＤをエッジライトパネルの端部に沿って配置するために、ＬＥＤによって生成した熱を放散させる能力に限界がある。また、エッジライトの構成では、パネルを照明するのに使用可能なＬＥＤの数を端部の長さに沿って一次的に増加させても、照明されるべき領域は端部長さの２乗として増加するので、パネルの最大寸法が制限されてしまう。したがって、エッジライトパネルは通常、小さな領域を有するパネルでの使用に限定される。
【０００６】
別の種類のＬＥＤ発光パネルとしては、いわゆるバックライト（直下型）パネルが挙げられ、このバックライトパネルでは、複数のＬＥＤが、パネルの背面に隣接する２次元のアレイとして配置されている。パネルは、ＬＥＤから光を拡散し（つまり一様となるよう調節し）、これにより、ＬＥＤのみを用いた場合に可能となる照明よりも一様な照明が提供される。バックライトパネルは、エッジライトの設計において生じるような輝度の制限を受けず、より大きな領域のパネルと共に使用することができる一方で、パネルが一様に照明されているように見せるために個々のＬＥＤからの光を効果的に拡散させることが困難であることが証明されている。
【０００７】
例えば、バックライトＬＥＤパネルの照明の均一性を向上させるための１つの手段として、ＬＥＤを互いに近接して配置することが挙げられる。しかし、不都合なことに、この手段によって、より多くのＬＥＤを使用しなくてはならないので、パネルのコストが増大する。照明の均一性を向上させるための別の手段は、パネルの光拡散を増大させることである。しかし、光拡散を増大させると通常、効率が低下し、これによって、パネルの輝度が低下するか、または拡散の増大による効率の損失を補償するために、より多くのもしくはより輝度の高いＬＥＤを使用することが要求される。
【発明の開示】
【発明が解決しようとする課題】
【０００８】
本発明の課題は、より均一な照明をもたらす発光パネルを、コストを増大させることなく提供することである。
【課題を解決するための手段】
【０００９】
上記課題を解決した一態様では、発光パネルはベースパネルを備えており、このベースパネル上に複数の発光素子が取り付けられている。各発光素子は、少なくとも約６０°の放射角度にわたり広がる実質的に均一な照明強度の領域を有する照明パターンを生成する。さらに、発光素子によって生成された光を受容して調節するために、１つ以上の光調節器がベースパネルに隣接して配置されている。
【発明を実施するための最良の形態】
【００１０】
別の実施態様についても以下に開示する。なお、本発明の例示的かつ目下の好ましい実施態様を図面に示す。
【００１１】
例示的な発光パネル１０を図１および図２に示す。この発光パネルは、ベースパネル１２を有しており、ベースパネル１２上には複数の発光素子１４が設けられている。以下により詳細に説明するように、各発光素子１４は、大きな放射角度（例えば、少なくとも約６０°、典型的には少なくとも約１００°）にわたり広がる実質的に均一な強度の領域２８を有している照明パターン４６を生成する（図４参照）。様々な発光素子１４によって生成された光を受容し調節するために、１つ以上の光調節器１６、１８が、ベースパネルに隣接して配置されている。この光調節器は、ベースパネル１２上の様々な発光素子１４によって生成される光を受容して拡散させるようにベースパネル１２に隣接して配置されている拡散体１６と、この拡散体１６に隣接して配置されている輝度上昇体１８とを備えている。輝度上昇体１８は、拡散された光を拡散体１６から集めて輝度上昇体１８の前面５２から出ていくように配向させて、これによって、発光パネル１０の軸方向の輝度を最大化させる。一態様では、発光パネル１０をディスプレイ装置２０、例えば液晶ディスプレイパネル２２に隣接して配置して、バックライトディスプレイシステム２４を形成することができる。
【００１２】
図３および図４を参照すると、各発光素子１４が、実質的に均一な強度の領域２８を有する照明パターン４６を生成する発光ダイオード２６を有している。実質的に均一な強度の領域２８は、少なくとも約６０°の放射角度、および典型的には少なくとも１００°の放射角度にわたって広がっている（図４参照）。ここに図示し説明する態様では、発光ダイオード２６は本体もしくは基板３０を有しており、この本体もしくは基板３０内に反射カップ３２が形成されている。発光ダイオード接合部３４（つまり、ダイ）は、反射カップ３２内に配置されている。ダイオード接合部３４および反射カップ３２上には、図３に最も良く示された形式で、レンズ３６が形成されている。反射カップ３２およびレンズ３５は、ダイオード接合部３４によって発せられた光を集めて配向させ、これによって、発光ダイオード２６が、図４に示すように実質的に均一な強度の領域２８を有する照明パターン４６を生成する。この場合、実質的に均一な強度の領域２８は、「フラットトップ（上部平坦型）照射パターン」と呼ぶこともでき、ランバート照射パターンと区別される。ランバート照射パターンでは、強度は、法線に対する発光角度の余弦に比例する。ランバート放射パターンは通常、大きな放射角度（つまり、約１００°よりも大きい放射角度）にわたり光を放射する従来のＬＥＤで見られるものである。
【００１３】
動作中、発光パネル１０は、実質的に均一な光出力をパネルの全領域にわたって生成し、そのため、バックライティング用にきわめてよく適している。このように発光パネル１０の実質的に均一な光出力が得られることによって、発光ダイオードを近接して隔置する必要もなく、拡散性の高い拡散体を利用しなくともよい。さらに、発光パネル１０には寸法の制限もなく、大きな領域にわたって高い出力の照明を提供することが可能であるので、発光パネル１０は、大きな領域のディスプレイ、例えば大きなスクリーンのコンピュータおよびテレビディスプレイでの使用に理想的である。
【００１４】
発光パネル１０の一態様を簡単に説明したが、以下に発光パネルの様々な例示的な態様を説明する。しかし、その説明の前に、ここに開示の発光パネルが、広い範囲のあらゆる用途（例えば、ディスプレイ装置のためのバックライト）において利用でき、広い範囲の任意のスペクトル出力（例えば、白光または着色光）を有する光を生成することができることに留意されたい。このことは、ここに示される教示によって、当業者に容易に理解される。
【００１５】
再び図１を参照すると、発光パネル１０の一態様が、ここに記載の方式で様々な発光素子１４をを受容するのに適したベースパネル１２を有している。ベースパネル１２は、一般には、パネル１０の対象寸法と整合している長さ３８および幅４０を有する長方形のプレート状の部材である。ベースパネル１２は、様々な発光素子１４のための有利な取付け位置を提供し、これにより、ベースパネル１２の長さ３８および幅４０の両方向にわたって２次元のアレイまたはパターンで発光素子を配置することができる。各発光素子は、電力源に電気的に接続する必要があり、そのため、プリント回路基板を有していると、ベースパネル１２のための大抵の用途で都合がよいが、必ずしも必要ではない。ベースパネル１２がプリント回路基板を有している一態様では、発光素子１４は電気的に（例えば、はんだによって）、ベースパネル１２上に設けられているパッド（図示せず）に接続される。ベースパネル１２のパッドは続いて、発光素子１４に必要な電流を供給するのに適した回路（図示せず）を駆動させるように接続することができる。
【００１６】
様々な発光素子１４は、多岐にわたるあらゆる構成でベースパネル１２に取り付けることができる。ここに図示し説明した態様では、発光素子１４は、複数の横列４２および縦列４４を規定するように配置されている。別の態様では、他の構成も可能である。
【００１７】
反射面５０が、ベースパネル１２上に設けられており、これにより、拡散体１６の背面６０によって反射した光（つまり、特定の拡散体１６に対する臨界角度を超えた角度で、拡散体１６の背面６０に入射する光）が「再利用」（つまり反射）する。反射表面５０は、鏡面反射性の反射面（例えばアルミニウム）または拡散性の反射面（例えば白色塗料）であってよい。反射面５０は、ベースパネル１２に貼着されている別個の要素（例えばシート状の材料）を有していてもよい。別の態様では、反射面５０は、使用される特定の種類の反射材料を堆積させるのに適した広い範囲の任意のプロセスによっても、ベースパネル１２に直接的に堆積させることができる。
【００１８】
拡散体１６は、ベースパネル１１２とは間隔をおいて配置されており、発光素子１４によって生成した光、およびベースパネル１２上の反射面５０によって反射された光を受容して拡散させる。ここに図示し説明した態様では、拡散体１６は、ポリカーボネート（例えばLexan（登録商標））プラスチック材料、例えばGE Advanced Materialsから入手可能であり「illuminex」という登録商標で販売されているプラスチック拡散フィルムからなるプラスチック製の拡散フィルムを含む。別の態様では、別の材料（例えば、ポリエチレンテレフタレート（ＰＥＴ））からなっている別の種類の拡散フィルムを使用することもできる。
【００１９】
拡散体１６は、ベースパネル１２の前面に取り付けることができ、隔置距離４８によってベースパネル１２から離されている。一般に、隔置距離４８を大きくすると、パネルによって生成される光の均一性が向上するが、パネルの厚みは厚くなってしまい、効率の損失は低下する。例えば、一態様では、拡散体１６は、約５０ミリメートル（ｍｍ）以下の距離４８でベースパネル１２と離されている。
【００２０】
拡散体１６に隣接して、輝度上昇体１８が配置されており、この輝度上昇体１８は、拡散体１６から拡散された光を受容する。輝度上昇体１８は、複数の光学素子、例えば、輝度上昇体１８の前面５２によって画定されているプリズム５５を含む。プリズム５５は、拡散体１６からの光を集め、輝度上昇体１８の前面５２から外側へ光を配向させる。これにより、輝度上昇体１８は、パネル１０の軸線方向の輝度を最大化する。例えば、ここに図示し説明した態様では、輝度上昇体１８は、３Ｍから入手可能でありVikuiti（登録商標）の名前で販売されている輝度上昇フィルム（ＢＥＦ）を含む。別の態様では、他の種類の輝度上昇体を使用することができる。
【００２１】
輝度上昇体１８は、拡散体１６の前面に取り付けることができ、拡散体１６の前面からは隔置距離５４を置いて隔置されている。しかし、輝度上昇体１８は、拡散体１６に直接的に積層されて（被着されて）いて、これにより、距離５４が最小化しているかもしくはなくなっていることが好ましい。
【００２２】
図３および図４を参照すると、各発光素子１４は、少なくとも約６０°、好ましくは少なくとも約１００°の大きな放射角度にわたり広がる実質的に均一な照明強度の領域２８を有する照明パターンを生成する発光ダイオード２６を有している（図４参照）。一態様では、発光ダイオード２６は、ベース部分または基板３０を有しており、このベース部分または基板３０内に反射カップ３２が形成されている。
【００２３】
ベース部分または基板３０は、様々な材料（例えばプラスチック）から製造することができる。ベース部分３０には、発光ダイオード接合部３４を、ベース部分３０上に設けられたパッドもしくは端子５６に電気的に接続するのに適したリードフレームもしくは別の導電構造が設けられている。
【００２４】
反射カップ３２は、ベース部分３０の製造中にベース部分３０内に形成することができる。別の態様では、反射カップ３２は、ベース部分３０の製造後に、機械的に、例えば穿孔によって形成することができる。一般には、効率を向上させるために、反射カップ３２に反射コーティング５８を設けることが好ましい。例えば、一態様では、反射カップ３２に始めに銅をめっきし、続いて金または銀の後続層をめっきして、反射率を最大化する。
【００２５】
次に、レンズ３６を、図３に最も良く図示されている形式で、ダイオード接合部３４およびカップ３２上にわたり形成する。レンズ３６は、広い範囲にわたる任意の透明のプラスチック材料を含んでいてもよく、当分野で公知の、レンズをＬＥＤパッケージに設ける広い範囲にわたる任意のプロセスのによって形成することができる。しかし、レンズ３６が従来のものと異なる点は、その形状である。より詳細には、レンズ３６および反射カップ３２は、発光接合部３４によって生成された光を方向変換させるように一緒に機能し、これにより、ＬＥＤが、図４において最も良く示されているように、実質的に均一な強度の領域２８を有する照明パターン４６を生成するようになっている。
【００２６】
図４を参照すると、照射パターン４６は、フラットトップ放射パターンとして特徴付けることができる。この放射パターンの場合には、実質的に均一な強度の領域２８は、少なくとも６０°、典型的には少なくとも約１００°の広い放射角度にわたり広がっており、その照明強度は、領域２８を超えて初めて、発光素子１４によって生成された照明強度の最大値の約５０％より低い値へと低下する。言い換えれば、実質的に均一な強度の領域２８は、強度の最小値および最大値を有していて、強度の最小値が、強度の最大値の約５０％以上となっている。フラットトップ放射パターンは、反射カップ３２およびレンズ３６の組合せによって得られる。
【００２７】
反射カップ３２およびレンズ３６の適切な設計の構成は、提案された設計をモデリングするための多くのレイトレーシングコンピュータプログラムのいかなるもの（例えば、Breault Research Organization, Inc., Tuscon, Arizona 85715(USA)から入手可能なASAP Pro）を使用しても、開発することができる。例えば、一態様では、概して円錐形状の反射カップ３２と概して平坦な光出力面６２（図３）を備えているレンズ３６とによって、実質的に均一な強度の領域２８が少なくとも約１００°の放射角度にわたり広がる照明パターン４６が形成される。別の態様では、図５に示すように、レンズ１３６は、凸部分１６４および凹部分１６６を有する光出力面１６２を有していてもよい。一般に、製造を簡単にするために、レンズ（例えば３６または１３６）の光出力面（例えば６２または１６２）の形状が３次の多項式曲線に基づいていることが好ましいが、必ずしもそうでなくてよい。
【００２８】
ベースパネル１２上での発光素子１４の特定の構成に関係なく、発光素子１４は、パネル１０の光出力の均一性を最大化するように隔置されていることが望ましいことを留意されたい。例えば、パネル１０の光出力の均一性は、発光素子１４によって生成される照明パターン４６（図４）、特に照明パターン４６が有する実質的に均一な強度の領域２８が広がる角度、ならびにベースパネル１２と拡散体１６との距離４８を考慮することによって最大化することができる。つまり、実質的に均一な強度の領域２８が、発光素子１４から、ベースパネル１２と拡散体１６との距離４８にほぼ等しい距離を置いた位置で集束するまたは互いに融合するように、各発光素子１４が互いに十分に近接して配置されているのが望ましい。したがって、様々な発光素子１４を隔置することによって、発光パネル１０における暗点および明点の出現が減少する。したがって、実質的に均一な強度の領域２８が、約１００°の放射角度にわたり広がっていて、ベースパネル１２と拡散体１６との距離４８が約５０ｍｍ以下である一態様では、約１０〜２０ｍｍの距離で互いに隔置するように個々の発光素子１４を配置することによって、均一な照明が達成できる。
【００２９】
発光素子１４は、特定の発光パネル１０に対して所望される、広い範囲のどのようなスペクトル出力でも提供されるように選択することができる。例えば、実質的に白色光を生成するいくつかの種類の発光ダイオードが開発されている。したがって、実質的に白色光を発する発光パネル１０は、本発明の教示によれば、発光素子１４として白色発光ＬＥＤを利用する（例えば、青色発光体からなり、ＬＥＤ青色光を白色光に変換するリン被覆体によって被覆されているを利用する）ことによって生成することができる。別の態様では、白色発光パネルは、発光素子１４に、別個の赤色、緑色および青色ＬＥＤを利用することによって、または別の色のＬＥＤを利用することによって生成することができる。発光パネル１０のスペクトル出力の調整は、特定の発光素子の数および配置を変化させることによって、ならびに様々な色の発光素子を可変に駆動して相対的な輝度を上昇もしくは低下させることによって、達成することができる。
【００３０】
以下に本発明の好ましい態様を示す。
１．ベースパネルと、
前記ベースパネルに取り付けられている複数の発光素子であって、該複数の発光素子のそれぞれが、少なくとも約６０°の放射角度にわたり広がる実質的に均一な強度の領域を有する照明パターンを生成する、複数の発光素子と、
前記ベースパネルに隣接して配置されている１つ以上の光調節器であって、前記複数の発光素子によって生成された光を受容して調節する、光調節器とを備えている発光パネル。
２．前記複数の発光素子のそれぞれが、発光ダイオードを含む、上項１に記載の発光パネル。
３．前記実質的に均一な強度の領域のそれぞれが、少なくとも約１００°の放射角度にわたり広がる、上項２に記載の発光パネル。
４．前記発光ダイオードのそれぞれが、
反射カップと、
前記反射カップ内に取り付けられている発光接合部と、
前記反射カップおよび前記発光接合部上に配置されているレンズとを備えている、上項３に記載の発光パネル。
５．前記レンズが、実質的に平坦な光出力面を有している、上項４に記載の発光パネル。
６．前記レンズが、凸部分および凹部分を備えている光出力面を有している、上項４に記載の発光パネル。
７．前記発光ダイオードが、２つ以上の異なる波長の光を発する、上項２に記載の発光パネル。
８．前記パネルベースが、プリント回路基板を有しており、該プリント回路基板が、各発光素子を電流の供給部に電気的に接続している、上項１に記載の発光パネル。
９．前記実質的に均一な強度の領域のそれぞれが、強度の最低値および強度の最高値を有しており、前記強度の最低値が、前記強度の最高値の約５０％以上である、上項１に記載の発光パネル。
１０．前記ベースパネル上に、反射面をさらに備えている、上項１に記載の発光パネル。
１１．前記反射面が、鏡面反射性の反射面からなる、上項１０に記載の発光パネル。
１２．前記反射面が、拡散性の反射面からなる、上項１０に記載の発光パネル。
１３．前記光調節器が、
前記ベースパネルに隣接して配置されている拡散体であって、前記複数の発光素子によって生成された光を受容して拡散する、拡散体と、
前記拡散体に隣接して配置された輝度上昇体であって、前記拡散体から拡散された光を集めて、該輝度上昇体の前面から出ていくように光を配向する、輝度上昇体とを含む、請求項１に記載の発光パネル。
１４．前記拡散体が、ポリカーボネートプラスチックからなっている、上項１３に記載の発光パネル。
１５．前記輝度上昇体が、複数のプリズムを画定するシート状の材料を含む、上項１３に記載の発光パネル。
１６．ベースパネルと、
前記ベースパネルに取り付けられている複数の発光素子であって、該複数の発光素子のそれぞれが、少なくとも約１００°の放射角度にわたり広がる実質的に均一な強度の領域を有する照明パターンを生成する、複数の発光素子と、
前記複数の発光素子によって生成された光を受容し調節する１つ以上の光調節器と、
前記光調節器に隣接して配置されているディスプレイ装置とを備えているディスプレイシステム。
１７．前記光調節器が、
前記ベースパネルに隣接して配置されている拡散体であって、前記複数の発光素子によって生成された光を受容して拡散する、拡散体と、
前記拡散体に隣接して配置されている輝度上昇体であって、前記拡散体から拡散された光を受容する輝度上昇体とを含む、上項１６に記載のディスプレイシステム。
１８．前記ディスプレイ装置が、液晶ディスプレイパネルを含む、上項１７に記載のディスプレイシステム。
１９．発光パネルであって、
前記発光パネル上に反射面を有しているベースパネルと、
前記ベースパネルに取り付けられている複数の発光素子であって、該複数の発光素子のそれぞれが、少なくとも約１００°の放射角度にわたり広がる実質的に均一な強度の領域を有する照明パターンを生成する、複数の発光素子と、
前記複数の発光素子によって生成された光を拡散させるための、前記ベースパネルに隣接して配置されている拡散手段と、
前記拡散手段から拡散される光の輝度を増大させるための、前記拡散手段に隣接して配置されている輝度上昇手段とを備えている、発光パネル。
２０．前記複数の発光素子のそれぞれが、発光ダイオードを含む、上項１９に記載の発光パネル。
【図面の簡単な説明】
【００３１】
【図１】発光パネルの一態様の正面図である。
【図２】ベースパネルの平面図であって、ベースパネルの上には複数の発光素子が取り付けられている。
【図３】実質的に均一な照明強度の領域を有する照明パターンを生成する発光ダイオードの一態様の、正面から見た断面図である。
【図４】図３の発光ダイオードによって生成された照明パターンのグラフの一例である。
【図５】実質的に均一な照明強度の領域を有する照明パターンを生成する発光ダイオードの別の態様の、正面から見た断面図である。
【符号の説明】
【００３２】
１０  発光パネル
１２  ベースパネル
１４  発光素子
１６  拡散体
１８  輝度上昇体
２６  発光ダイオード
２８  実質的に均一な照明強度の領域
３２  反射カップ
３４  発光ダイオード接合部
３６、１３６  レンズ
４６  照明パターン
５０  ベースパネルの反射面
５２  輝度上昇体の前面
５５  輝度上昇体のプリズム
６２、１６２  光出力面
１６４  凹部分
１６６  凸部分
【図１】
2006294618.tif 000003
【図２】
2006294618.tif 000004
【図３】
2006294618.tif 000005
【図４】
2006294618.tif 000006
【図５】
2006294618.tif 000007